(57)【要約】【課題】排水溝をせき止めるための作業負担を軽減しながら、排水溝を素早くせき止めることが可能な溝蓋を提供する。【解決手段】この溝蓋では、係止解除部７を操作することにより係止部６による堰板２の係止が解除されるとともに、堰板２が付勢部５の付勢力により第１位置から第２位置へ回動し、排水溝１００内をせき止める。【選択図】図２
2008025102.tif 000002
【特許請求の範囲】
【請求項１】
排水溝の上部を覆う溝蓋本体と、
前記溝蓋本体に近接した第１位置と、前記排水溝の長手方向に対して交差するとともに前記排水溝内をせき止める第２位置との間で前記排水溝の幅方向に延びる軸を中心として回動可能に設けられた堰板と、
前記堰板と前記溝蓋本体との間に設けられ、前記堰板を前記第２位置側へ付勢する付勢手段と、
前記堰板を前記第１位置で前記溝蓋本体に対して係止する係止部と、
前記係止部による係止を解除するための係止解除部とを備え、
前記係止解除部を操作することにより前記係止部による係止が解除されるとともに、前記堰板が前記付勢手段の付勢力により前記第１位置から前記第２位置へ回動し、前記排水溝内をせき止める、溝蓋。
【請求項２】
前記係止部は、前記溝蓋本体と前記堰板との間に設けられ、前記第１位置にある堰板を前記溝蓋本体と連結する係止状態と、前記堰板を前記溝蓋本体から切り離す係止解除状態とに切り換え可能であり、
前記係止解除部は、前記溝蓋本体の上面近傍に設けられ、前記係止解除部の操作時に把持される操作部と、前記操作部の操作に連動して前記係止部を前記係止状態から前記係止解除状態に切り換える連動部とを含む、請求項１に記載の溝蓋。
【請求項３】
前記係止部は、
前記溝蓋本体の下面側に設けられ、本体側係合部を有する本体側係止部材と、
前記堰板側に設けられ、前記本体側係合部と係合可能な堰板側係合部を有し、前記堰板が前記第１位置にある状態で前記堰板側係合部が前記本体側係合部と係合する係止位置と前記堰板側係合部が前記本体側係合部から離脱する係止解除位置との間で移動可能となるように前記堰板に取り付けられる堰板側係止部材と、
前記堰板側係合部を前記係止位置側に付勢する係止用付勢手段とを含み、
前記連動部は、前記操作部の操作に連動して前記堰板側係合部を前記係止用付勢手段の付勢力に抗して前記係止解除位置側に移動させ、かつ、この係止解除位置にある堰板側係合部と離間可能である連動部材を含む、請求項２に記載の溝蓋。
【請求項４】
前記堰板側係合部は、前記第２位置から前記第１位置へ前記堰板が上昇する際に前記本体側係止部材と当接することにより前記係止用付勢手段の付勢力に抗して前記係止解除位置側に移動し、その後に前記係止用付勢手段の付勢力によって前記本体側係合部と係合する形状を有する、請求項３に記載の溝蓋。
【請求項５】
前記堰板は、その周縁部に設けられたシール材を有し、
前記シール材は、前記堰板が前記第２位置にあるときに前記排水溝の内壁面と密着する、請求項１〜４のいずれか１項に記載の溝蓋。
【請求項６】
前記堰板と前記溝蓋本体との間を繋ぐように設けられ、前記第２位置にある前記堰板を前記第１位置側へ引き上げるための引上げ手段をさらに備え、
前記引上げ手段には、前記堰板の引き上げ時に鈎棒で引掛けるための複数の引掛け部が長手方向に沿って設けられている、請求項１〜５のいずれか１項に記載の溝蓋。
【発明の詳細な説明】
【技術分野】
【０００１】
本発明は、排水溝の上部を覆う溝蓋に関するものである。
【背景技術】
【０００２】
従来、排水溝の上部を覆う溝蓋が知られている（例えば、特許文献１参照）。
【０００３】
上記特許文献１に開示された溝蓋は、格子状に形成されており、その格子間の空間を通じて雨水等が排水溝内に排水されるようになっている。
【特許文献１】特開平１０−９６２５７号公報
【発明の開示】
【発明が解決しようとする課題】
【０００４】
石油コンビナートや薬品処理工場等の種々の薬品等が取り扱われる場所では、雨水用の排水溝にそのような薬品等が流れ込む場合がある。この場合、排水溝をせき止めてその薬品等が外部に流出するのを防ぐ必要があり、上記特許文献１に開示された構造では、排水溝から溝蓋を取り外すとともに、別途準備した堰板を排水溝内に落とし込むことにより排水溝をせき止めて薬品等の流出を防ぐことが考えられる。しかしながら、この場合には、溝蓋を取り外した後、別途準備した堰板を持ち上げて排水溝内に落とし込むという煩雑な作業が必要となり、作業者の負担が大きくなるという問題点がある。
【０００５】
なお、特開２０００−２９０９７５号公報には、側溝内を流れる水をせき止めることによりその水位を上昇させるとともに枝溝へ流れる水量を増加させることを目的として、溝蓋の下面側に堰板が設けられ、その堰板に接続されたワイヤを巻き取りドラムで巻き取り又は巻き戻すことにより堰板を上下に回動させて、側溝内の水流に干渉しない位置と側溝内の水流をせき止める位置とに堰板を移動させるようにした構造が開示されている。このような堰板の構造を上記の薬品等の流出防止のために用いることも考えられなくはないが、堰板を降ろすために巻き取りドラムの回転操作を開始してから実際に排水溝が堰板でせき止められるまでに時間が掛かり、排水溝に流れ込んだ薬品等が外部へ流出するまでに素早く排水溝をせき止めることが困難である。
【０００６】
本発明は、上記のような課題を解決するためになされたものであり、その目的は、排水溝をせき止めるための作業負担を軽減しながら、排水溝を素早くせき止めることが可能な溝蓋を提供することである。
【課題を解決するための手段】
【０００７】
上記目的を達成するために、本発明による溝蓋は、排水溝の上部を覆う溝蓋本体と、前記溝蓋本体に近接した第１位置と、前記排水溝の長手方向に対して交差するとともに前記排水溝内をせき止める第２位置との間で前記排水溝の幅方向に延びる軸を中心として回動可能に設けられた堰板と、前記堰板と前記溝蓋本体との間に設けられ、前記堰板を前記第２位置側へ付勢する付勢手段と、前記堰板を前記第１位置で前記溝蓋本体に対して係止する係止部と、前記係止部による係止を解除するための係止解除部とを備えている。そして、前記係止解除部を操作することにより前記係止部による係止が解除されるとともに、前記堰板が前記付勢手段の付勢力により前記第１位置から前記第２位置へ回動し、前記排水溝内をせき止める。なお、前記付勢手段としては、種々のバネ部材の付勢力（弾性力）を利用したものや前記堰板に重りを設けてその重量で付勢するもの等の多様な形態のものが用いられる。
【０００８】
この溝蓋では、係止解除部を操作するだけで、係止部による係止が解除されて堰板が第１位置から第２位置へ回動するとともに排水溝内をせき止めるので、溝蓋を取り外す作業や堰板を持ち上げて排水溝内に落とし込む作業を行う必要がなく、排水溝内をせき止めるための作業負担を軽減することができる。さらに、この溝蓋では、排水溝内をせき止める際、付勢手段の付勢力により堰板が第１位置から第２位置へ回動するので、巻き取りドラムを回転操作して堰板を巻き下ろすことにより第１位置から第２位置へ回動させる場合に比べて堰板を素早く第２位置側へ回動させて排水溝内を素早くせき止めることができる。また、付勢手段の付勢力により堰板を第１位置から第２位置へ回動させることによって、堰板を排水溝内に降ろす際に流体からの抵抗力や排水溝の内壁面から受ける摩擦力がある場合でも、そのような抵抗力に負けることなく堰板を第２位置へ確実に回動させることができる。さらに、堰板が第２位置へ回動した後は、付勢手段の付勢力により堰板を排水溝内の底面に押圧して密着させることができるので、堰板の浮き上がりを抑止して薬品等の流出を確実に防止することができる。
【０００９】
上記溝蓋において、前記係止部は、前記溝蓋本体と前記堰板との間に設けられ、前記第１位置にある堰板を前記溝蓋本体と連結する係止状態と、前記堰板を前記溝蓋本体から切り離す係止解除状態とに切り換え可能であり、前記係止解除部は、前記溝蓋本体の上面近傍に設けられ、前記係止解除部の操作時に把持される操作部と、前記操作部の操作に連動して前記係止部を前記係止状態から前記係止解除状態に切り換える連動部とを含むのが好ましい。このように構成すれば、溝蓋本体の上から係止解除部の操作部を操作して係止部を係止状態から係止解除状態に切り換えることができるので、溝蓋本体を取り外すことなく第１位置にある堰板の係止を容易に解除して第２位置側へ回動させることができる。
【００１０】
この場合において、前記係止部は、前記溝蓋本体の下面側に設けられ、本体側係合部を有する本体側係止部材と、前記堰板側に設けられ、前記本体側係合部と係合可能な堰板側係合部を有し、前記堰板が前記第１位置にある状態で前記堰板側係合部が前記本体側係合部と係合する係止位置と前記堰板側係合部が前記本体側係合部から離脱する係止解除位置との間で移動可能となるように前記堰板に取り付けられる堰板側係止部材と、前記堰板側係合部を前記係止位置側に付勢する係止用付勢手段とを含み、前記連動部は、前記操作部の操作に連動して前記堰板側係合部を前記係止用付勢手段の付勢力に抗して前記係止解除位置側に移動させ、かつ、この係止解除位置にある堰板側係合部と離間可能である連動部材を含むのが好ましい。このように構成すれば、溝蓋本体の上から係止解除部の操作部を操作して係止部を係止状態から係止解除状態に切り換えることが可能な構造を構成することができる。
【００１１】
さらにこの場合において、前記堰板側係合部は、前記第２位置から前記第１位置へ前記堰板が上昇する際に前記本体側係止部材と当接することにより前記係止用付勢手段の付勢力に抗して前記係止解除位置側に移動し、その後に前記係止用付勢手段の付勢力によって前記本体側係合部と係合する形状を有するのが好ましい。このように構成すれば、堰板を第２位置から第１位置へ上昇させるのと同時に堰板側係合部が本体側係合部と係合して堰板が第１位置で係止されるので、別途堰板係合部を本体側係合部に係合させる作業を省くことができる。このため、堰板を第１位置で係止する際の作業を簡略化することができる。
【００１２】
上記溝蓋において、前記堰板は、その周縁部に設けられたシール材を有し、前記シール材は、前記堰板が前記第２位置にあるときに前記排水溝の内壁面と密着するのが好ましい。このように構成すれば、堰板が前記第２位置にあるときにシール材により堰板の周縁部と排水溝の内壁面との間に隙間が生じるのを抑制することができるので、排水溝内をより確実にせき止めることができる。
【００１３】
上記溝蓋において、前記堰板と前記溝蓋本体との間を繋ぐように設けられ、前記第２位置にある前記堰板を前記第１位置側へ引き上げるための引上げ手段をさらに備え、前記引上げ手段には、前記堰板の引き上げ時に鈎棒で引掛けるための複数の引掛け部が長手方向に沿って設けられているのが好ましい。このように構成すれば、堰板の引き上げ時に作業者が引き上げやすい位置の引掛け部に鈎棒を引掛けて堰板を第２位置から第１位置へ引き上げることができる。これにより、堰板の第２位置から第１位置への引き上げ作業を容易にすることができる。
【発明の効果】
【００１４】
以上説明したように、本発明による溝蓋では、排水溝をせき止めるための作業負担を軽減しながら、排水溝を素早くせき止めることができる。
【発明を実施するための最良の形態】
【００１５】
以下、本発明の実施形態を図面を参照して説明する。
【００１６】
図１は、本発明の一実施形態による溝蓋の構成を示した上面図である。図２は、図１に示した溝蓋のＩＩ−ＩＩ線に沿った断面図であり、図３は、図１に示した溝蓋のＩＩＩ−ＩＩＩ線に沿った断面図である。図４及び図５は、溝蓋において堰板２が排水溝１００内で流体をせき止める位置に配置された状態を示した図２及び図３にそれぞれに対応する断面図である。まず、図１〜図５を参照して、本発明の一実施形態による溝蓋の構成について説明する。
【００１７】
本実施形態による溝蓋は、コンテナヤード、石油コンビナート又は薬品処理工場等における排水溝１００の上部を覆うものである。この溝蓋は、図１に示すように、溝蓋本体１と、堰板２と、支持アングル３と、一対の蝶番４と、一対の付勢部５（付勢手段）と、係止部６と、係止解除部７と、引上げ用鎖部８（引上げ手段）とを備えている。本実施形態による溝蓋は、上記の工場等において石油や各種薬品等が排水溝１００内に流れ込んだときに、堰板２で排水溝１００内をせき止めて上記薬品等が外部へ流出するのを抑止する機能を有している。
【００１８】
上記溝蓋本体１は、金属製であり、格子状に形成されている。これにより、溝蓋本体１の格子間の空間を通って雨水等が排水溝へ排水されるようになっている。
【００１９】
上記堰板２は、溝蓋本体１の下側に設けられており、金属板２ａとシール材２ｂとからなる。この堰板２は、図３及び図５に示すように排水溝１００と同等の幅を有しており、その幅方向の両端部が排水溝１００の内壁面に接触している。そして、堰板２は、溝蓋本体１に平行に配置されるとともに溝蓋本体１に近接した第１位置（図２参照）と、排水溝１００の長手方向に対して交差するとともにその排水溝１００内をせき止める第２位置（図４参照）との間で排水溝１００の幅方向に延びる後述する蝶番４の軸部４ｃを中心として回動可能に設けられている。なお、上記第１位置は、堰板２が排水溝１００内の排水と干渉しない位置であり、堰板２は通常はこの第１位置で保持される。また、上記第２位置では、堰板２の周縁部が排水溝１００の内壁面に当接して排水溝１００を遮断し、排水溝１００内に流れ込んだ上記薬品等がせき止められる。
【００２０】
堰板２の金属板２ａは、略長方形に形成された平板状の板体である。また、シール材２ｂは、ゴム製であり、金属板２ａの周縁部に沿って取り付けられている。このシール材２ｂは、堰板２が上記第２位置に配置されたときに排水溝１００の内壁面と密着することにより、堰板２の周縁部と排水溝１００の内壁面との間に隙間が生じるのを抑制するために設けられている。
【００２１】
上記支持アングル３は、断面Ｌ字状のアングルであり、堰板２及び付勢部５を支持するためのものである。この支持アングル３は、溝蓋本体１の下面に固定されており、排水溝１００の幅方向に沿って延びている。
【００２２】
上記一対の蝶番４は、堰板２の幅方向に所定間隔で配置されているとともに、堰板２の長手方向の一方の端部と上記支持アングル３とを連結している。また、一対の蝶番４は、取付板４ａ及び４ｂと軸部４ｃとをそれぞれ有しており、この取付板４ａと取付板４ｂとが軸部４ｃを介して連結されている。そして、一方の取付板４ａは、他方の取付板４ｂに対して軸部４ｃを中心として回動自在に構成されている。また、一方の取付板４ａは堰板２の金属板２ａの長手方向の一方の端部に取り付けられているとともに、他方の取付板４ｂは支持アングル３の側面に取り付けられており、軸部４ｃは排水溝１００の幅方向に沿って延びている。この構成により、堰板２が蝶番４の軸部４ｃを中心として上下に回動可能となっている。
【００２３】
上記一対の付勢部５は、溝蓋本体１と堰板２との間に設けられており、堰板２の幅方向に所定の間隔を隔てて設けられている。この一対の付勢部５は、堰板２を上記第２位置側へ付勢する機能を有する。また、一対の付勢部５は、付勢部本体５ａと、支持アングル取付部５ｂと、アーム部５ｃと、堰板取付部５ｄとをそれぞれ含んでいる。支持アングル取付部５ｂは、支持アングル３の側面に固定されているとともに、付勢部本体５ａの一方端側と排水溝１００の幅方向に延びる軸を中心として回動可能に結合している。アーム部５ｃは、その一方端側が付勢部本体５ａの他方端側と排水溝１００の幅方向に延びる軸を中心として回動可能に結合している。堰板取付部５ｄは、堰板２の金属板２ａの上面に取り付けられており、この堰板取付部５ｄとアーム部５ｃの付勢部本体５ａと反対側の端部とが排水溝１００の幅方向に延びる軸を中心として回動可能に結合している。
【００２４】
また、付勢部本体５ａは、コイルバネ（図示せず）を内蔵しており、そのコイルバネの付勢力によってアーム部５ｃが図２中の矢印Ａ方向へ付勢されている。すなわち、堰板２が図２に示す第１位置にあるとき、アーム部５ｃは付勢部本体５ａに沿うように折畳まれており、その状態からアーム部５ｃはコイルバネによって矢印Ａ方向に回動する方向に付勢されている。そして、本実施形態では、このコイルバネの付勢力を利用してアーム部５ｃと堰板取付部５ｄを介して連結された堰板２を図２に示す第１位置から図４に示す第２位置側へ付勢している。そして、堰板２が図４に示す第２位置に回動した後は、上記コイルバネの付勢力により堰板２の周縁部が排水溝１００の底面に押圧されて密着される。
【００２５】
上記係止部６は、堰板２が上記第１位置にある状態において溝蓋本体１と堰板２との間に設けられるとともに、堰板２の上記蝶番４と反対側の端部近傍に設けられる。この係止部６は、上記第１位置にある堰板２を溝蓋本体１と連結する係止状態と、堰板２を溝蓋本体１から切り離す係止解除状態とに切り換え可能に構成されている。係止部６は、具体的には、ラッチ受部６ａ（本体側係止部材）と、ラッチ機構部６ｂ（堰板側係止部材）とを含んでいる。
【００２６】
ラッチ受部６ａは、溝蓋本体１の下面に取り付けられている。このラッチ受部６ａは、断面略Ｌ字状の部材であり、溝蓋本体１の下面に取り付けられた部分と、その部分から下方へ垂直に延設された部分とからなる。そして、この下方へ延設された部分に排水溝１００の長手方向に貫通する穴部６ｃ（本体側係合部）が設けられている。
【００２７】
ラッチ機構部６ｂは、堰板２側に設けられており、ラッチ機構本体６ｄと、ラッチ部６ｅ（堰板側係合部）と、図示しないバネ部材（係止用付勢手段）とを有している。ラッチ機構本体６ｄは、堰板２の金属板２ａの上面に取り付けられている。このラッチ機構本体６ｄには、堰板２の長手方向に貫通する貫通孔（図示せず）が設けられている。また、ラッチ機構本体６ｄの上部には、上記引上げ用鎖部８が連結される環状の連結部６ｆが設けられている。
【００２８】
ラッチ部６ｅは、上記ラッチ機構本体６ｄの貫通孔（図示せず）に挿通されている。そして、ラッチ機構本体６ｄでは、堰板２が上記第１位置にある状態でラッチ部６ｅの一方端側がラッチ受部６ａの穴部６ｃと係合する係止位置とラッチ受部６ａの穴部６ｃから離脱する係止解除位置との間でラッチ部６ｅが移動可能となるように構成されている。また、上記の図示しないバネ部材がラッチ機構本体６ｄに内蔵されており、このバネ部材によってラッチ部６ｅが上記係止位置側に付勢されている。そして、ラッチ部６ｅが上記係止位置においてラッチ受部６ａの穴部６ｃと係合することによって係止部６が上記係止状態となる一方、ラッチ部６ｅが上記係止解除位置においてラッチ受部６ａの穴部６ｃと離脱することによって係止部６が上記係止解除状態となるように構成されている。
【００２９】
また、ラッチ部６ｅの上記穴部６ｃと係合する側の端部は、上方へ行くに連れて係止解除位置側へ傾斜する斜面形状を有している。この端部の斜面形状により、第２位置から第１位置へ堰板２を上昇させる際にラッチ部６ｅの端部がラッチ受部６ａの下端部と当接することによってラッチ部６ｅが上記バネ部材（図示せず）の付勢力に抗して係止解除位置側に移動し、その後にバネ部材（図示せず）の付勢力によってラッチ受部６ａの穴部６ｃと係合する。また、ラッチ部６ｅの穴部６ｃと係合する側と反対側の端部には、上方に隆起するとともに円環状に形成された円環部６ｇが設けられている。
【００３０】
上記係止解除部７は、上記係止部６による係止を解除するためのものである。この係止解除部７は、係止解除部７の操作時に把持される操作部７ａと、その操作部７ａの操作に連動して上記係止部６を係止状態から係止解除状態に切り換える連動部７ｂ（連動部材）とを含んでいる。連動部７ｂは、細長い板状に形成されており、溝蓋本体１の下面側から溝蓋本体１の格子間の空間を通って上方へ延びている。そして、堰板２が上記第１位置（図２参照）にあるとき、連動部７ｂの下端部はラッチ部６ｅの円環部６ｇのラッチ受部６ａ側の側面に当接する。操作部７ａは、連動部７ｂの溝蓋本体１の上面側に一体に設けられており、溝蓋本体１の上面近傍に配置されている。
【００３１】
また、係止解除部７は、溝蓋本体１に設けられた保持部材１ａによって保持されている。保持部材１ａは、上方から見てコ字状に形成された部材であり、その両端部が溝蓋本体１を構成する格子の側面に取り付けられている。そして、係止解除部７の連動部７ｂが、保持部材１ａと溝蓋本体１の格子とで囲まれた空間に上方から挿入されている。
【００３２】
そして、係止解除部７の操作部７ａの幅は、保持部材１ａの幅よりも大きく、この操作部７ａが保持部材１ａの上端部で係止されるよって係止解除部７が保持部材１ａに保持されている。また、保持部材１ａの内部には、溝蓋本体１（排水溝１００）の幅方向に延びる軸部１ｂが設けられており、この軸部１ｂを支点として係止解除部７が揺動可能となっている。
【００３３】
このような構成により、堰板２が上記第１位置にあるときに係止解除部７の操作部７ａを図２中の矢印Ｂ方向へ操作することに連動して、連動部７ｂの下端部が矢印Ｃ方向へ移動する。これにより、連動部７ｂの下端部が円環部６ｇを押すことによって、ラッチ部６ｅをラッチ機構本体６ｄに内蔵された上記バネ部材（図示せず）の付勢力に抗して係止解除位置側に移動させ、係止部６による堰板２の係止が解除される。その結果、係止解除部７の連動部７ｂとラッチ部６ｅとが離間するとともに、堰板２が上記第１位置から上記第２位置側へ回動する。
【００３４】
上記引上げ用鎖部８の一方端側は、ラッチ機構本体６ｄの連結部６ｆに連結されているとともに、他方端側は、溝蓋本体１にシャックル８ａを介して連結されている。すなわち、この引上げ用鎖部８は、ラッチ機構本体６ｄ及びシャックル８ａを介して堰板２と溝蓋本体１とを繋いでいる。そして、この引上げ用鎖部８は、上記第２位置（図４参照）にある堰板２を上記第１位置（図２参照）側へ引上げるのに用いられるものである。具体的には、この引上げ用鎖部８は、その長手方向に沿って複数の金属環８ｂが連結されることによって構成されており、これら複数の金属環８ｂはそれぞれ堰板２の引き上げ時に鈎棒で引掛けるための引掛け部として機能する。そして、堰板２の引き上げ時には、作業者が引き上げやすい位置の金属環８ｂに鈎棒を引掛けて堰板２を引上げることが可能となっている。
【００３５】
以上のように、本実施形態による溝蓋では、係止解除部７の操作部７ａを操作するだけで、係止部６のラッチ部６ｅとラッチ受部６ａとの係合が解除されて堰板２が第１位置から第２位置へ回動するとともに排水溝１００内をせき止めるので、溝蓋を取り外す作業や堰板を持ち上げて排水溝内に落とし込む作業を行う必要がなく、排水溝１００内をせき止めるための作業負担を軽減することができる。
【００３６】
さらに、本実施形態による溝蓋では、排水溝１００内をせき止める際、付勢部５の付勢力により堰板２が第１位置から第２位置へ回動するので、巻き取りドラムを回転操作して堰板を巻き下ろすことにより第１位置から第２位置へ回動させる場合に比べて堰板２を素早く第２位置側へ回動させて排水溝１００内を素早くせき止めることができる。
【００３７】
また、本実施形態による溝蓋では、付勢部５の付勢力により堰板２を第１位置から第２位置へ回動させることによって、堰板２を排水溝１００内に降ろす際に流体からの抵抗力や排水溝１００の内壁面から受ける摩擦力がある場合でも、そのような抵抗力に負けることなく堰板２を第２位置へ確実に回動させることができる。さらに、堰板２が第２位置へ回動した後は、付勢部５の付勢力により堰板２を排水溝１００内の底面に押圧して密着させることができるので、堰板２の浮き上がりを抑止して薬品等の流出を確実に防止することができる。
【００３８】
また、本実施形態による溝蓋では、溝蓋本体１の上面近傍に設けられる操作部７ａを操作することにより、その操作に連動する連動部７ｂの下端部によってラッチ部６ｅが押されて係止位置から係止解除位置へ移動するので、溝蓋本体１の上からの操作によりラッチ部６ｅを係止位置から係止解除位置へ移動させることができる。これにより、溝蓋本体１を取り外すことなく第１位置にある堰板２の係止を容易に解除して第２位置側へ回動させることができる。
【００３９】
また、本実施形態による溝蓋では、ラッチ部６ｅのラッチ受部６ａ側の端部が、第２位置から第１位置へ堰板２が上昇する際にラッチ受部６ａの下端部と当接することによりバネ部材の付勢力に抗して係止解除位置側に移動し、その後にバネ部材の付勢力によってラッチ受部６ａの穴部６ｃと係合する斜面形状を有するので、堰板２を第２位置から第１位置へ上昇させるのと同時にラッチ受部６ａの穴部６ｃがラッチ部６ｅと係合して堰板２が第１位置で係止される。これにより、別途ラッチ部６ｅを穴部６ｃに係合させる作業を省くことができるので、堰板２を第１位置で係止する作業を簡略化することができる。
【００４０】
また、本実施形態による溝蓋では、堰板２の周縁部に設けられたシール材２ｂが堰板２が第２位置にあるときに排水溝１００の内壁面と密着するので、シール材２ｂにより堰板２の周縁部と排水溝１００の内壁面との間に隙間が生じるのを抑制することができる。これにより、排水溝１００内をより確実にせき止めることができる。
【００４１】
また、本実施形態による溝蓋では、堰板２と溝蓋本体１との間を繋ぐように設けられた引上げ用鎖部８において、堰板２の引き上げ時に鈎棒で引掛けるための複数の金属環８ｂが長手方向に沿って設けられているので、堰板２の引き上げ時には作業者が引き上げやすい位置の金属環８ｂに鈎棒を引掛けて堰板２を第２位置から第１位置へ引き上げることができる。これにより、堰板２の第２位置から第１位置への引き上げ作業を容易にすることができる。
【００４２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味及び範囲内でのすべての変更が含まれる。
【００４３】
例えば、上記実施形態では、堰板２を排水溝１００内をせき止める第２位置側へ付勢するための付勢手段として、コイルバネの付勢力により堰板２を付勢する付勢部５を用いたが、これに限らず、堰板２を上記第２位置側へ付勢するのに上記以外の構成の付勢手段を用いてもよい。例えば、上記実施形態による付勢部５の代わりに支持アングル３の側面から堰板２の金属板２ａの上面へ跨るように設けた板バネ部材を付勢手段として用いてもよい。この板バネ部材は、堰板２が図２に示す第１位置にあるときに屈曲するように設置し、この屈曲した板バネ部材の弾性力を利用して堰板２を上記第２位置側へ付勢する。また、他の付勢手段の構成として、堰板２の係止部６側の端部近傍に重りを設け、その重りの重量を利用して堰板２を上記第２位置側へ付勢するようにしてもよい。
【図面の簡単な説明】
【００４４】
【図１】本発明の一実施形態による溝蓋の全体構成を示した上面図である。
【図２】図１に示した溝蓋のＩＩ−ＩＩ線に沿った断面図である。
【図３】図１に示した溝蓋のＩＩＩ−ＩＩＩ線に沿った断面図である。
【図４】溝蓋において堰板が排水溝内で流体をせき止める位置に配置された状態を示した図２に対応する断面図である。
【図５】溝蓋において堰板が排水溝内で流体をせき止める位置に配置された状態を示した図３に対応する断面図である。
【符号の説明】
【００４５】
１００  排水溝
１  溝蓋本体
２  堰板
２ｂ  シール材
５  付勢部（付勢手段）
６  係止部
６ａ  ラッチ受部（本体側係止部材）
６ｂ  ラッチ機構部（堰板側係止部材）
６ｃ  穴部（本体側係合部）
６ｅ  ラッチ部（堰板側係合部）
７  係止解除部
７ａ  操作部
７ｂ  連動部（連動部材）
８  引上げ用鎖部（引上げ手段）
８ｂ  金属環（引掛け部）
【図１】
2008025102.tif 000003
【図２】
2008025102.tif 000004
【図３】
2008025102.tif 000005
【図４】
2008025102.tif 000006
【図５】
2008025102.tif 000007